(57)【要約】【課題】  蓋を開けた開放状態で、被開閉部の前方に大きなスペースを確保すること。【解決手段】  第２の蓋体３６は筐体１８に第１の支軸４０で結合され、第１の蓋体３４と第２の蓋体３６は第２の支軸４２で結合されている。第２の蓋体３６が第１の揺動位置（イ）に位置し、第１の蓋体３４が起立位置（ハ）に位置した状態で、被開閉部１８０２を閉塞する閉塞状態（ホ）となる。第２の蓋体３６が第２の揺動位置（ロ）に位置し、第１の蓋体３４が開放位置（ニ）に位置した状態で、被開閉部１８０２を開放する開放状態（ヘ）となる。２の蓋体３６の第１の揺動位置（イ）と第２の揺動位置（ロ）においてそれぞれ第２の蓋体３６に係止するクリック機構５０が設けられ、第１の蓋体３４の他端に、閉塞状態（ホ）で筐体１８側に係止する係止部６０が設けられ、第１の蓋体３４を開放状態（ヘ）へ付勢する弾性部材７０が設けられている。【選択図】        図５
2005322808.tif 000002
【特許請求の範囲】
【請求項１】
筐体の被開閉部を開閉する蓋の開閉装置であって、
前記蓋は第１の蓋体と第２の蓋体とを備え、
前記第１の蓋体は前記被開閉部の幅に対応した幅と前記被開閉部の長さに対応した長さを有し、
前記第２の蓋体は長さと前記第１の蓋体の幅よりも小さい寸法の幅を有し、
前記被開閉部の幅方向の一端における前記筐体箇所に、前記第２の蓋体の幅方向の一端が第１の支軸により結合されると共に、前記第２の蓋体の幅方向の他端に、前記被開閉部の長さ方向に前記第１の蓋体の長さ方向を平行させて前記第１の蓋体の幅方向の一端が第２の支軸により結合され、
前記第２の蓋体は、前記第１の支軸を支点として前記第２の蓋体の幅方向の他端が前記被開閉部の幅方向の一端に臨む第１の揺動位置と、前記幅方向の他端が前記被開閉部の一端から前記被開閉部の幅方向に離れた第２の揺動位置との間で揺動できるように配設され、
前記第１の蓋体は、前記第２の支軸を支点として前記被開閉部に臨む起立位置と、前記被開閉部から前記被開閉部の幅方向に離れた方向に倒れ前記被開閉部を開放する開放位置との間を揺動できるように配設され、
前記第２の蓋体が前記第１の揺動位置に位置し、前記第１の蓋体が前記起立位置に位置した状態で前記第１の蓋体および前記第２の蓋体により前記被開閉部を閉塞する閉塞状態が構成され、かつ、前記第２の蓋体が前記第２の揺動位置に位置し、前記第１の蓋体が前記開放位置に位置した状態で前記被開閉部を開放する開放状態が構成され、
前記筐体に、前記第２の蓋体の第１の揺動位置と第２の揺動位置においてそれぞれ前記第２の蓋体に係止するクリック機構が設けられ、
前記第１の蓋体の前記他端に、前記閉塞状態で前記筐体箇所に係止する係止部が設けられている、
ことを特徴とする蓋の開閉装置。
【請求項２】
前記第２の蓋体は、前記被開閉部の長さ方向に前記第２の蓋体の長さ方向を平行させて前記第１の支軸を介して前記被開閉部の幅方向の一端における前記筐体箇所に結合されていることを特徴とする請求項１記載の蓋の開閉装置。
【請求項３】
前記第１の支軸と前記第２の支軸はそれらの軸心が前記被開閉部の長手方向と平行する方向に延在していることを特徴とする請求項１記載の蓋の開閉装置。
【請求項４】
前記第１の蓋体と前記第２の蓋体はその長さ方向の中央を揃えて結合され、前記第２の蓋体は、前記第１の蓋体の長さ方向の両端近傍に至る長さを有していることを特徴とする請求項１記載の蓋の開閉装置。
【請求項５】
前記第１の支軸と前記第２の支軸は、前記第２の蓋体の長さ方向に延在し前記第２の蓋体により支持されていることを特徴とする請求項１記載の蓋の開閉装置。
【請求項６】
前記第１の支軸と前記第２の支軸は、前記第２の蓋体の長さ方向に延在し前記第２の蓋体により支持され、前記第１の支軸の両端寄り箇所に位置する前記第２の蓋体箇所に切り欠きがそれぞれ設けられ、この切り欠きを介して前記第１の支軸の両端寄り箇所が前記筐体で揺動可能に支持され、前記第２の支軸は前記第２の蓋体の長さ方向の両端からそれぞれ突出し、それら突出した部分が前記第１の蓋体に結合されていることを特徴とする請求項１記載の蓋の開閉装置。
【請求項７】
前記第２の蓋体が前記第１の揺動位置に位置した状態で、前記第２の蓋体は前記被開閉部に対して鋭角をなして前記被開閉部の前方に延在し、前記第２の蓋体が前記第２の揺動位置に位置した状態で、前記第２の蓋体は前記被開閉部に対して鈍角をなして前記被開閉部の前方に延在することを特徴とする請求項１記載の蓋の開閉装置。
【請求項８】
前記第２の蓋体が前記第１の揺動位置に位置し、前記第１の蓋体が起立位置に位置した状態で、前記第２の蓋体は前記被開閉部に対して鋭角をなして前記被開閉部の前方に延在し、前記第１の蓋体は前記被開閉部の前方で前記第２の蓋体に対して鈍角をなして延在し、前記第２の蓋体が前記第２の揺動位置に位置し、前記第１の蓋体が起立位置に位置した状態で、前記第２の蓋体は前記被開閉部に対して鈍角をなして前記被開閉部の前方に延在し、前記第１の蓋体は前記被開閉部の前方で前記第２の蓋体に対して鋭角をなして延在することを特徴とする請求項１記載の蓋の開閉装置。
【請求項９】
前記第２の蓋体が前記第１の揺動位置に位置し、前記第１の蓋体が起立位置に位置した状態で、前記第２の蓋体は前記被開閉部に対して鋭角をなして前記被開閉部の前方に延在し、前記第１の蓋体は前記第２の蓋体に対して鈍角をなし前記被開閉部の前方で前記被開閉部と平行して延在し、前記第２の蓋体が前記第２の揺動位置に位置し、前記第１の蓋体が起立位置に位置した状態で、前記第２の蓋体は前記被開閉部に対して鈍角をなして前記被開閉部の前方に延在し、前記第１の蓋体は前記第２の蓋体に対して鋭角をなし前記被開閉部の前方で前記被開閉部と平行して延在することを特徴とする請求項１記載の蓋の開閉装置。
【請求項１０】
前記閉塞状態から前記第１の蓋体を前記第１の蓋体の一端方向に移動させると、前記第２の蓋体が前記第１の揺動位置から第２の揺動位置に揺動することを特徴とする請求項１記載の蓋の開閉装置。
【発明の詳細な説明】
【技術分野】
【０００１】
本発明は蓋の開閉装置に関する。
【背景技術】
【０００２】
例えば、デジタルカメラやビデオカメラ、あるいは、ノート型パソコン、ハードディスクドライブケースなどの電子機器では、その筐体に、電池が収容される電池収容室や、記録媒体が収容される記録媒体収容室などが設けられ、また、各種のケーブルが接続される接続端子などが設けられている。
そして、これらの電池収容室、記録媒体収容室、接続端子などを覆うように筐体には蓋が開閉可能に設けられている。
この種の蓋の開閉装置として、例えば、特許文献１、特許文献２などが知られている。
【特許文献１】特開平９−１６３２０４号公報
【特許文献２】特開平４−３０９０１６号公報
【発明の開示】
【発明が解決しようとする課題】
【０００３】
しかしながら、従来の蓋の開閉装置では、蓋の幅方向の一端に設けられた支軸を支点に蓋が単に揺動する構成であるため、蓋を開けた開放状態で、電池収容室や、記録媒体収容室、接続端子から蓋を遠ざけることができず、例えば、電池や記録媒体の挿脱時、あるいは、ケーブルの接続時に、蓋が邪魔になり、それらの操作がしにくく、また、蓋や記録媒体、ケーブルの端子などを破損するおそれがあった。
本発明は前記事情に鑑み案出されたものであって、本発明の目的は、蓋を開けた開放状態で、これらの電池室、記録媒体収容室、接続端子などの前方に大きなスペースを確保でき、電池や記録媒体の挿脱操作やコネクタの接続操作などを簡単に行なえるようにし、また、蓋や記録媒体、コネクタなどを破損するおそれのない蓋の開閉装置を提供することにある。
【課題を解決するための手段】
【０００４】
前記目的を達成するため本発明は、筐体の被開閉部を開閉する蓋の開閉装置であって、前記蓋は第１の蓋体と第２の蓋体とを備えている。前記第１の蓋体は前記被開閉部の幅に対応した幅と前記被開閉部の長さに対応した長さを有している。前記第２の蓋体は長さと前記第１の蓋体の幅よりも小さい寸法の幅を有している。前記被開閉部の幅方向の一端における前記筐体箇所に、前記第２の蓋体の幅方向の一端が第１の支軸により結合されると共に、前記第２の蓋体の幅方向の他端に、前記被開閉部の長さ方向に前記第１の蓋体の長さ方向を平行させて前記第１の蓋体の幅方向の一端が第２の支軸により結合されている。前記第２の蓋体は、前記第１の支軸を支点として前記第２の蓋体の幅方向の他端が前記被開閉部の幅方向の一端に臨む第１の揺動位置と、前記幅方向の他端が前記被開閉部の一端から前記被開閉部の幅方向に離れた第２の揺動位置との間で揺動できるように配設されている。前記第１の蓋体は、前記第２の支軸を支点として前記被開閉部に臨む起立位置と、前記被開閉部から前記被開閉部の幅方向に離れた方向に倒れ前記被開閉部を開放する開放位置との間を揺動できるように配設されている。前記第２の蓋体が前記第１の揺動位置に位置し、前記第１の蓋体が前記起立位置に位置した状態で前記第１の蓋体および前記第２の蓋体により前記被開閉部を閉塞する閉塞状態が構成され、かつ、前記第２の蓋体が前記第２の揺動位置に位置し、前記第１の蓋体が前記開放位置に位置した状態で前記被開閉部を開放する開放状態が構成される。前記筐体に、前記第２の蓋体の第１の揺動位置と第２の揺動位置においてそれぞれ前記第２の蓋体に係止するクリック機構が設けられている。前記第１の蓋体の前記他端に、前記閉塞状態で前記筐体箇所に係止する係止部が設けられている。
【発明の効果】
【０００５】
本発明によれば、被開閉部を開放した開放状態において、第２の蓋体は、第２の蓋体の幅方向の他端が被開閉部の一端から被開閉部の幅方向に離れた第２の揺動位置に位置し、この第２の揺動位置に位置した第２の蓋体の幅方向の他端の第２の支軸を支点として第１の蓋体が開放位置になるので、従来構造に比べ、第２の蓋体の第１の揺動位置から第２の揺動位置への変位分被開閉部の前方に大きなスペースを確保できる。
【発明を実施するための最良の形態】
【０００６】
本発明は、蓋を、第１の蓋体と第２の蓋体とで構成し、被開閉部の幅方向の一端における筐体箇所に、前記第２の蓋体の幅方向の一端を第１の支軸を介して結合し、前記第２の蓋体の幅方向の他端に、前記被開閉部の長さ方向に前記第１の蓋体の長さ方向を平行させて前記第１の蓋体の幅方向の一端を第２の支軸を介して結合することで上記の目的を達成した。
以下、本発明の蓋の開閉装置をハードディスクドライブケースに適用した実施例について図面にしたがって説明する。
【実施例１】
【０００７】
図１（Ａ）は蓋を閉じた状態のハードディスクドライブケースの斜視図、図１（Ｂ）は蓋を開けた状態のハードディスクドライブケースの斜視図、図２（Ａ）は蓋を閉じた状態のハードディスクドライブケースの端面の拡大斜視図、図２（Ｂ）は蓋を開けた状態のハードディスクドライブケースの端面の拡大斜視図を示す。
ハードディスクドライブケース１２は、ボトムケース１４とトップケース１６とからなる上下半割の筐体１８を備えている。
ボドムケース１４の内部にはハードディスクドライブ（不図示）が収容され、トップケース１６の内部にはハードディスクドライブを駆動する電子回路基板（不図示）、コンパクトフラッシュ（登録商標）カードＣが収容されるコンパクトフラッシュカード収容室２０、メモリースティック（ソニー株式会社の登録商標）Ｍが収容されるメモリースティック収容室２２が設けられている。
そして、筐体１８の一方の端面の上半部に、コンパクトフラッシュカード収容室２０とメモリースティック収容室２２が開口されており、他方の端面の上半部に、ＵＳＢケーブル用の接続端子などが設けられている。
本実施例の蓋の開閉装置３０により一方の端面の上半部が開閉され、本実施例では筐体１８の一方の端面の上半部が被開閉部１８０２に相当し、被開閉部１８０２は幅Ｗ１（図５参照）と、この幅Ｗ１よりも大きい寸法の長さＬ１（図５参照）を有している。
【０００８】
まず、本実施例の蓋の開閉装置３０の概略を説明する。
図３（Ａ）は蓋を閉じた状態のハードディスクドライブケースの端面図、図３（Ｂ）は図３（Ａ）のＢ矢視図、図４（Ａ）は第２の蓋体が第２の揺動位置に位置し第１の蓋体が起立位置に位置した状態のハードディスクドライブケースの端面図、図４（Ｂ）は図４（Ａ）のＢ矢視図、図５（Ａ）は被開閉部が開放された状態のハードディスクドライブケースの端面図、図５（Ｂ）は図５（Ａ）のＢ矢視図、図６はボドムケースに対する蓋体の取り付けの説明図、図７はボドムケースに対する蓋体の取り付けの要部拡大説明図を示す。
開閉装置３０を構成する蓋３２は、第１の蓋体３４と第２の蓋体３６とを備えている。
第２の蓋体３６は被開閉部１８０２に第１の支軸４０で結合され、第１の蓋体３４と第２の蓋体３６は第２の支軸４２で結合されている。
【０００９】
第２の蓋体３６は、第１の支軸４０を支点として、図３に示す第１の揺動位置（イ）と、図４、図５に示す第２の揺動位置（ロ）との間を揺動する。
第１の蓋体３４は、第２の支軸４２を支点として、図３、図４に示す起立位置（ハ）と、図５に示す開放位置（ニ）との間を揺動する。
そして、第２の蓋体３６が第１の揺動位置（イ）に位置し、第１の蓋体３４が起立位置（ハ）に位置した状態で、図３に示す被開閉部１８０２を閉塞する閉塞状態（ホ）となる。
また、第２の蓋体３６が第２の揺動位置（ロ）に位置し、第１の蓋体３４が開放位置（ニ）に位置した状態で、図５に示す被開閉部１８０２を開放する開放状態（ヘ）となる。
さらに、筐体１８に、第２の蓋体３６の第１の揺動位置（イ）と第２の揺動位置（ロ）においてそれぞれ第２の蓋体３６に係止するクリック機構５０が設けられ、第１の蓋体３４の他端に、閉塞状態（ホ）で筐体１８側に係止する係止部６０が設けられ、第１の蓋体３４を開放状態（ヘ）へ付勢する弾性部材７０（図７参照）が設けられている。
【００１０】
次に、蓋の開閉装置３０の細部にわたり詳細に説明していく。
図８は第１の蓋体３４の説明図で、（Ａ）は斜視図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図を示し、図９は第２の蓋体３６の説明図で、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視図を示す。
まず、図９を参照して第２の蓋体３６から説明する。
第２の蓋体３６は合成樹脂製で、型により一体成形されている。
第２の蓋体３６は、被開閉部１８０２の幅Ｗ１よりも小さい寸法の幅Ｗ３と、被開閉部１８０２の長さＬ１よりも小さい寸法の長さＬ３を有している。
図９（Ａ）、（Ｅ）に示すように、第２の蓋体３６は表面３６Ａと裏面３６Ｂとを有し、被開閉部１８０２を閉塞する閉塞状態（ホ）で表面３６Ａは外方に臨む面であり、裏面３６Ｂは内方に臨む面である。
第２の蓋体３６の幅方向の両端には、その長さ方向の全長に延在する第１軸受け孔３６０２と第２軸受け孔３６０４とが互いに平行して設けられている。言い換えると、第２の蓋体３６の幅方向の一端に第１軸受け孔３６０２が設けられ、幅方向の他端に第２軸受け孔３６０４が設けられている。
第２の蓋体３６の裏面３６Ｂで長さ方向の両端寄り箇所に第１軸受け孔３６０２を露出させるように切り欠き３６０６がそれぞれ設けられ、また、長さ方向の中央に第１軸受け孔３６０２および第２軸受け孔３６０４を露出させるように切り欠き３６０８が設けられ、また、第２の蓋体３６の幅方向の一端で長さ方向の中央に、幅方向に突出する係合凸部３６１０が設けられている。
さらに、第２の蓋体３６の裏面３６Ｂで長さ方向の一方の端部に第２軸受け孔３６０４を露出させるように切り欠き３６１２が設けられている。
【００１１】
第２の蓋体３６と筐体１８とは次のように結合されている。
図３乃至図５に示すように、第２の蓋体３６の第１軸受け孔３６０２に金属製の第１の支軸４０が挿通される。したがって、第１の支軸４０は第２の蓋体３６の第１軸受け孔３６０２で支持されている。
図６、図７に示すように、第１の支軸４０は、両側の切り欠き３６０６内において、薄い金属板からなる支持片４４の先端のＵ字状に屈曲された部分４４０２で回転可能に支持されている。支持片４４の基部はボトムケース１４の取り付け座１４０２に載置され、支持片４４の基部のねじ挿通孔４４０４に挿通されるねじでボドムケース１４の取り付け座１４０２に固定されている。
第２の蓋体３６は、その長さ方向の中央を被開閉部１８０２の長さ方向の中央に揃えて配設され、第２の蓋体３６は、第１の支軸４０を支点として図３に示す第１の揺動位置（イ）と、図４、図５に示す第２の揺動位置（ロ）との間を揺動する。
【００１２】
次に、図８を参照して第１の蓋体３４について説明する。
第１の蓋体３４は合成樹脂製で、型により一体成形されている。
第１の蓋体３４は、被開閉部１８０２は幅Ｗ１に対応した幅Ｗ２と、被開閉部１８０２の長さＬ１に対応した長さＬ２を有している。
図８（Ａ）、（Ｅ）に示すように、第１の蓋体３４は表面３４Ａと裏面３４Ｂとを有し、被開閉部１８０２を閉塞する閉塞状態（ホ）で表面３４Ａは外方に臨む面であり、裏面３４Ｂは内方に臨む面である。
第１の蓋体３４の裏面３４Ｂの幅方向の一端で長さ方向の両端寄りの箇所に軸受け部３４０２がそれぞれ膨出形成され、軸受け部３４０２には長さ方向に軸心を有する軸受け孔３４０４が形成されている。
また、第１の蓋体３４の長さ方向の両端と幅方向の他端とにわたり表面３４Ａから裏面３４Ｂ方向にリブ３４０６が突出形成され、幅方向の他端に位置するリブ３４０２の箇所で長さ方向の中央の箇所には、第１の蓋体３４および第２の蓋体３６により被開閉部１８０２を閉塞する閉塞状態（ホ）で、被開閉部１８０２の他端に設けられた被係止部１８０４（図３乃至図５参照）に係止する係止部６０が設けられている。
また、第１の蓋体３４をその幅方向に移動操作し易いように、表面３４Ａの中央に凹凸部３４１０が設けられている。
【００１３】
第１の蓋体３４と第２の蓋体３６とは次のように結合されている。
図６、図７に示すように、第２の蓋体３６の長さ方向の両端の外側に、第１の蓋体３４の軸受け部３４０２がそれぞれ配置される。そして、図３乃至図５に示すように、第２の蓋体３６の第２軸受け孔３６０４と第１の蓋体３４の軸受け孔３４０４とにわたり第２の支軸４２が挿通される。これにより第１の蓋体３４と第２の蓋体３６はその長さ方向の中央を揃え、また、それらの長さ方向を平行させ、第１の蓋体３４の幅方向の一端と第２の蓋体３６の幅方向の他端が結合され、第１の蓋体３４は、第２の支軸４２を支点として、図３、図４に示す起立位置（ハ）と、図５に示す開放位置（ニ）との間を揺動する。
また、図７に示すように、第２の蓋体３６の切り欠き３６１２内に露出する第２の支軸４２部分に、第１の蓋体３４を開放状態（ヘ）へ付勢する弾性部材７０が設けられている。本実施例では、弾性部材７０としてねじりスプリングが用いられ、そのコイル部が第２の支軸４２に巻装され、その一端が第１の蓋体３４に係止し、その他端が第２の蓋体に係止している。
なお、このように第１の蓋体３４と第２の蓋体３６とが被開閉部１８０２に取り付けられた状態で、被開閉部１８０２の幅方向の一端に臨む筐体１８の端面と、第２の蓋体３６の長さ方向の両端の外側に位置する第１の蓋体３４の部分との間に隙間が生じる。そこで、本実施例では、図７に示すように、両側の軸受け部３４０２の外側と長さ方向の両端のリブ３４０２との間の隙間を閉塞するように、筐体１８の端面から凸片１８１２が突設され、また、筐体１８の端面と軸受け部３４０２の先端との間の隙間を閉塞するように、筐体１８の端面から凸片１８１４が突設されている。
【００１４】
そして、第２の蓋体３６は、図３に示すように、第１の支軸４０を支点として第２の蓋体３６の幅方向の他端が被開閉部１８０２の幅方向の一端に臨む第１の揺動位置（イ）と、図４、図５に示すように、幅方向の他端が被開閉部１８０２の一端から被開閉部１８０２の幅方向に離れた第２の揺動位置（ロ）の間で揺動できるように配設されている。
また、第１の蓋体３４は、第２の蓋体３６が第２の揺動位置（ロ）位置した状態で、図４に示すように、被開閉部１８０２に臨む起立位置（ハ）と、図５に示すように、被開閉部１８０２から該被開閉部１８０２の幅方向に離れた方向に倒れる開放位置（ニ）との間を第２の支軸４２を支点として揺動できるように配設され、弾性部材７０により常時開放位置（ニ）に倒れる方向に付勢されている。
さらに、図４から図３に示すように、第２の蓋体３６が第２の揺動位置（ロ）に位置しかつ第１の蓋体３４が起立位置（ハ）に位置した状態で、第２の蓋体３６を第１の揺動位置（イ）に揺動させると（あるいは第２の蓋体３６が第２の揺動位置（ロ）に位置しかつ第１の蓋体３４が起立位置（ハ）に位置した状態で、第１の蓋体３４を係止部６０の方向に移動させると第２の蓋体３６が第１の揺動位置（イ）となり）、第１の蓋体３４および第２の蓋体３６により被開閉部１８０２を閉塞する閉塞状態（ホ）となるように構成され、この閉塞状態（ホ）で係止部６０が被開閉部１８０２の被係止部１８０４に係止し、閉塞状態（ホ）が保持されるように構成されている。
また、図３から図４に示すように、閉塞状態（ホ）から第１の蓋体３４を第２の蓋体３６の方向に移動させると、第２の蓋体３６が第１の揺動位置（イ）ら第２の揺動位置（ロ）に揺動し、係止部６０が被係止部１８０４から外れ、図５に示すように、第１の蓋体３４は弾性部材７０により開放位置（ニ）に揺動し、被開閉部１８０２を開放する開放状態（ヘ）となるように構成されている。
【００１５】
本実施例では、図３に示すように、被開閉部１８０２の閉塞状態（ホ）で、すなわち、第２の蓋体３６が第１の揺動位置（イ）に位置した状態で、第２の蓋体３６と被開閉部１８０２とがなす角度θ１は、鋭角をなすように構成されている。また、図４、図５に示すように、第２の蓋体３６が第２の揺動位置（ロ）に位置した状態で、第２の蓋体３６と被開閉部１８０２とがなす角度θ１は、鈍角をなすように構成されている。
また、図３に示すように、被開閉部１８０２の閉塞状態（ホ）で、すなわち、第２の蓋体３６が第１の揺動位置（イ）に位置し、第１の蓋体３４が起立位置（ハ）に位置した状態で、第１の蓋体３４と第２の蓋体３６とがなす角度θ２は、鈍角をなすように構成されている。また、図４に示すように、第２の蓋体３６が第２の揺動位置（ロ）に位置し、第１の蓋体３４が起立位置（ハ）に位置した状態で、第１の蓋体３４と第２の蓋体３６とがなす角度θ２は、鋭角をなすように構成されている。また、図３、図４に示すように、第１の蓋体３４が起立位置（ハ）に位置した状態で、第１の蓋体３４は被開閉部１８０２の前方で被開閉部１８０２に平行して延在する。また、図５に示すように、第１の蓋体３４は起立位置（ハ）から１８０度以上回転して開放位置（二）となる。
【００１６】
次に、第２の蓋体３６の第１の揺動位置（イ）と第２の揺動位置（ロ）においてそれぞれ第２の蓋体３６に係止するクリック機構５０について説明する。
図１０はクリック機構５０を構成するばね板５２の説明図で、（Ａ）は正面図、（Ｂ）は（Ａ）のＢ矢視図、（Ｃ）は（Ａ）のＣ矢視図、（Ｄ）は（Ｂ）のＤ矢視から見た斜視図、（Ｅ）は（Ｂ）のＥ矢視から見た斜視図を示し、図１１はクリック機構５０を構成するブロック５０の説明図で、（Ａ）は正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥ矢視から見た斜視図、（Ｆ）は（Ａ）のＦ矢視から見た斜視図を示す。
クリック機構５０は、図３乃至図５に示すように、第２の蓋体３６の係合凸部３６１０と、ばね板５２と、ブロック５４とで構成されている。
【００１７】
ばね板５２は、図１０に示すように、薄肉のばね鋼板から構成され、平坦な中央部５２０２と、中央部５２０２の両側で表面から裏面方向に向けて屈曲された屈曲部５２０４とを有している。両側の屈曲部５２０４に対して中央部５２０２がその厚さ方向に弾性変位し易いように、中央部と屈曲部５２０４との境の部分にスリット５２０６が形成されている。
中央部５２０２には、ブロック５４との結合用の２つの嵌合孔５２１０と１つの切り欠き部５２１２が設けられ、また、筐体１８（ボドムケース１４）との結合用の嵌合孔５２１４が設けられている。
ブロック５４は合成樹脂製で、図１１に示すように、直方体状の本体部５４０２を備え、本体部５４０２の一方の面である裏面に、ブロック５４の２つの嵌合孔５２１０と切り欠き部５２１２とにそれぞれ結合可能な２つの円柱部５４１０と１つの半円柱部５４１２とが突設されている。
また、本体部５４０２の他方の面である表面に、本体部５４０２の長手方向に延在する係合溝５４２０が互いに間隔をおき平行に延在形成されており、それら係合溝５４２０の間に凸部５４２２が係合溝５４２０に平行して延在している。
【００１８】
ばね板５２とブロック５４は次のようにボドムケース１４に結合されている。
ばね板５２の表面とブロック５４の裏面とが合わされ、２つの嵌合孔５２１０にそれぞれ円柱部５４１０が嵌合固定され、切り欠き部５２１２に半円柱部５４１２が嵌合され、ばね板５２とブロック５４とが一体化される。
図７に示すように、ボドムケース１４の端面における長さ方向の中央の上部に設けられた切り欠き内に、２つの係合溝５４２０を外方に臨ませてブロック５４の本体部５４０２が配置され、切り欠きの両側の収容溝１４１０内にばね板５２の両側の屈曲部５２０４が挿入され、これにより本体部５４０２は、図３乃至図５に示すように、被開閉部１８０２の長さ方向に延在する２つの係合溝５４２０を外方に臨ませ、かつ、両側の屈曲部５２０４により前方に突出した状態で配設される。
また、ボドムケース１４の突起１４２０が嵌合孔５２１４に移動可能に挿入され、被開閉部１８０２の幅方向におけるばね板５２およびブロック５４の位置は変わらない。
そして、第２の蓋体３６が第１の揺動位置（イ）に位置した状態で、係合凸部３６１０がブロック５４の一方の係合凹部５４２０に係合し、第２の蓋体３６が第１の揺動位置（イ）に留まるように保持し、また、第２の蓋体３６が第２の揺動位置（ロ）に位置した状態で、係合凸部３６１０がブロック５４の他方の係合凹部５４２０に係合し、第２の蓋体３６が第２の揺動位置（ロ）に留まるように保持するように構成されている。
さらに、第２の蓋体３６が第１の揺動位置（イ）と第２の揺動位置（ロ）との間を揺動し係合凸部３６１０が凸部５４２２を乗り越える際に、ばね板５２の両側の屈曲部５２０４が弾性変形し、ばね板５２の中央部５２０２とブロック５４とが筐体１８の端面から離れる方向に移動し、係合凸部３６１０が係合凹部５４２０に係合すると、その弾性により元の位置に復帰し、ユーザーにクリック感が与えられるように構成されている。
【００１９】
つぎに、蓋の開閉装置３０の動きについて説明する。
まず、図３に示す、第１の蓋体３４および第２の蓋体３６により被開閉部１８０２を閉塞する閉塞状態（ホ）について説明する。
第２の蓋体３６は、第２の蓋体３６の幅方向の他端が被開閉部１８０２の幅方向の一端に臨む第１の揺動位置（イ）に位置している。
第１の蓋体３４は、被開閉部１８０２に臨む起立位置（ハ）に位置している。第１の蓋体３４は弾性部材７０の弾性力により被開閉部１８０２から離れる方向に倒れるように付勢されているが、第１の蓋体３４の係止部６０が筐体１８の被係止部１８０４に係止し、第１の蓋体３４の外方への倒れが阻止されている。
第２の蓋体３６の係合凸部３６１０がブロック５４の一方の係合凹部５４２０に係合し、第２の蓋体３６が第１の揺動位置（イ）に留まるように保持されている。
【００２０】
つぎに、図３に示す閉塞状態（ホ）から蓋を開ける場合について説明する。
ユーザーが第１の蓋体３４の表面３４Ａの凹凸部３４１０に指を押し当て、第１の蓋体３４を第２の蓋体３６方向に押し下げる。
これにより、第２の蓋体３６は、第１の支軸４０を支点として第２の蓋体３６の幅方向の他端が被開閉部１８０２の幅方向の一端に臨む第１の揺動位置（イ）から、図４に示すように、幅方向の他端が被開閉部１８０２の一端から被開閉部１８０２の幅方向に離れた第２の揺動位置（ロ）に揺動し、第１の蓋体３４の係止部６０が筐体１８の被係止部１８０４から外れる。
この揺動に伴い、第２の蓋体３６の係合凸部３６１０が一方の係合凹部５４２０から凸部５４２２を乗り越えて他方の係合凹部５４２０に係合し、第２の蓋体３６が第２の揺動位置（ロ）に留まるように保持される。この係合凸部３６１０の動きによりユーザーにクリック感が与えられ、第２の蓋体３６が第２の揺動位置（ロ）に揺動し、第１の蓋体３４が押し下げられたことが分かる。
ここで、ユーザーが第１の蓋体３４の表面３４Ａから指を離すと、弾性部材７０の弾性力により、第１の蓋体３４は、被開閉部１８０２に臨む起立位置（ハ）から、被開閉部１８０２から該被開閉部１８０２の幅方向に離れた方向に倒れる開放位置（ニ）に揺動し、図５に示す被開閉部１８０２を開放する開放状態（ヘ）となる。
【００２１】
つぎに、図５に示す開放状態（ヘ）から蓋を閉める場合について説明する。
ユーザーが第１の蓋体３４を被開閉部１８０２方向に揺動させて開放位置（ニ）から起立位置（ハ）とし、第１の蓋体３４の表面３４Ａの凹凸部３４１０に指を押し当て、第１の蓋体３４を押し上げる。
この第１の蓋体３４の押し上げにより、第２の蓋体３６は第１の支軸４０を支点として第２の揺動位置（ロ）から第１の揺動位置（イ）に揺動し、第１の蓋体３４が被係止部１８０４方向に移動し、第１の蓋体３４の係止部６０が筐体１８の被係止部１８０４に係止する。
あるいは、ユーザーが第１の蓋体３４を被開閉部１８０２方向に揺動させて開放位置（ニ）から起立位置（ハ）とし、第２の蓋体３６と第１の蓋体３４との境の部分に指を押し当て、第２の蓋体３６を押し上げる。
この第２の蓋体３６の押し上げにより、第２の蓋体３６は第１の支軸４０を支点として第２の揺動位置（ロ）から第１の揺動位置（イ）に揺動し、第１の蓋体３４が被係止部１８０４方向に移動し、第１の蓋体３４の係止部６０が筐体１８の被係止部１８０４に係止する。
いずれの場合も、第２の蓋体３６の揺動に伴い、第２の蓋体３６の係合凸部３６１０が他方の係合凹部５４２０から凸部５４２２を乗り越えて一方の係合凹部５４２０に係合し、第２の蓋体３６が第１の揺動位置（イ）に留まるように保持される。この係合凸部３６１０の動きによりユーザーにクリック感が与えられ、第２の蓋体３６が第１の揺動位置（イ）に揺動し、第１の蓋体３４が押し上げられ、被開閉部１８０２が閉塞状態（ホ）となったことが分かる。
【００２２】
本実施例によれば、被開閉部１８０２が閉塞状態（ホ）ら開放状態（ヘ）なると、第２の蓋体３６が、被開閉部１８０２の幅方向の一端に臨む第１の揺動位置（イ）から、被開閉部１８０２の幅方向に離れた第２の揺動位置（ロ）に揺動し、第１の蓋体３４はこの第２の蓋体３６の幅方向の他端の第１の支軸４０を支点として開放位置（ニ）に揺動するので、従来構造に比べ、第２の蓋体３６の第１の揺動位置（イ）から第２の揺動位置（ロ）への変位分被開閉部１８０２の前方に大きなスペースを確保でき、したがって、実施例のように、コンパクトフラッシュカード収容室２０へのコンパクトフラッシュカードＣの挿脱や、メモリースティック収容室２２へのメモリースティックＭの挿脱を簡単に行なうことが可能となる。
また、被開閉部１８０２の開放状態で被開閉部１８０２の前方に大きなスペースを確保できるので、挿脱時に、コンパクトフラッシュカードＣやメモリースティックＭが筐体１８の箇所に衝突しそれらコンパクトフラッシュカードＣやメモリースティックＭあるいは第１の蓋体３４などの破損、損傷を防止する上で有利となる。
【００２３】
なお、弾性部材７０は省略することも可能であるが、実施例のように弾性部材７０を設けておくと、その操作性を向上する上で有利となる。
また、実施例では、第１の支軸４０と第２の支軸４２がそれぞれ単一の軸から構成されている場合について説明したが、これら支軸４０，４２は、軸方向に分割された複数の軸で構成されていてもよい。
また、実施例では、第２の蓋体３６が単一体の場合について説明したが、その長さ方向に分割された複数の分割体で構成されていてもよい。
また、クリック機構５０や係止部６０として従来公知の様々な構成が採用可能であり、実施例の構造に限定されない。
また、被開閉部１８０２は、実施例のように、筐体１８の端面であってもよく、あるいは、電池収容室の開口であってもよく、開閉すべき箇所の用途などに応じて変わるものである。
また、本発明の蓋の開閉装置は、デジタルカメラやビデオカメラ、あるいは、ノート型パソコン、ハードディスクドライブケースなどの電子機器に限定されず、電子機器以外の他の製品にも広く適用される。
【図面の簡単な説明】
【００２４】
【図１】ハードディスクドライブケースの説明図である。
【図２】ハードディスクドライブケースの説明図である。
【図３】被開閉部を全閉状態とした蓋の開閉装置の説明図である。
【図４】第２の蓋体が第２の揺動位置に位置した蓋の開閉装置の説明図である。
【図５】被開閉部を全開状態とした蓋の開閉装置の説明図である。
【図６】ボドムケースに対する蓋体の取り付けの説明図である。
【図７】ボドムケースに対する蓋体の取り付けの要部拡大説明図である。
【図８】第１の蓋体の説明図である。
【図９】第２の蓋体の説明図である。
【図１０】クリック機構を構成するばね板の説明図である。
【図１１】クリック機構を構成するブロックの説明図である。
【符号の説明】
【００２５】
１２……ハードディスクドライブケース、１８……筐体、１８０２……被開閉部、３０……開閉装置、３４……第１の蓋体、３６……第２の蓋体、４０……第１の支軸、４２……第２の支軸、５０……クリック機構、６０……係止部、７０……弾性部材。
【図１】
2005322808.tif 000003
【図２】
2005322808.tif 000004
【図３】
2005322808.tif 000005
【図４】
2005322808.tif 000006
【図５】
2005322808.tif 000007
【図６】
2005322808.tif 000008
【図７】
2005322808.tif 000009
【図８】
2005322808.tif 000010
【図９】
2005322808.tif 000011
【図１０】
2005322808.tif 000012
【図１１】
2005322808.tif 000013